(57)【要約】【課題】提供先に関する提供先情報、並びに提供先の数により決まる条件に基づいて、印刷物に掲載される掲載情報を割り振る。【解決手段】ネットワーク１０に接続可能な端末３１−１〜３１−ｎにて指定された条件と、クレジットカード会社２０にて発行される利用明細書の送付先に関する情報とに基づいて、利用明細書に掲載される掲載情報となる広告情報を提供する提供先を設定するとともに、該提供先の数によって決まる情報の提供条件を端末３１−１〜３１−ｎに提示する。【選択図】  図１
2004152078.tif 000002
【特許請求の範囲】
【請求項１】
印刷物に掲載される掲載情報の提供先を、該提供先に関する提供先情報に基づいて設定する情報割振システムにおいて、
ネットワークに接続可能な少なくとも１つの端末と、
ネットワークに接続可能に構成され、前記端末にて指定された条件と前記提供先情報とに基づいて、前記掲載情報を提供する提供先を設定するとともに、該提供先の数によって決まる前記掲載情報の提供条件を前記端末に提示する情報割振手段とを有することを特徴とする情報割振システム。
【請求項２】
請求項１に記載の情報割振システムにおいて、
前記情報割振手段は、
前記条件を指定するための第１の情報画面を前記端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が掲載された第２の情報画面を前記端末に提供することを特徴とする情報割振システム。
【請求項３】
印刷物に掲載される掲載情報の提供先を、該提供先に関する提供先情報に基づいて設定する情報割振システムにおいて、
ネットワークに接続可能な少なくとも１つの端末と、
ネットワークに接続可能に構成され、前記端末にて指定された条件と前記提供先情報とに基づいて、前記情報を提供する提供先を設定し、該提供先の数によって決まる前記掲載情報の提供条件が、前記端末にて指定された提供条件を満たすように、前記条件に付与された優先順位に従って前記条件を解除し、前記提供条件が前記端末にて指定された提供条件を満たすように設定された条件と前記提供先情報とに基づいて前記掲載情報の提供先を設定する情報割振手段とを有することを特徴とする情報割振システム。
【請求項４】
請求項３に記載の情報割振システムにおいて、
前記情報割振手段は、
前記条件を前記優先順位とともに指定するための、かつ、前記提供条件を指定するための第１の情報画面を前記端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が前記第１の情報画面にて提供条件を満たすように、前記条件に付与された優先順位に従って前記条件を解除することを特徴とする情報割振システム。
【請求項５】
ネットワークに接続可能に構成され、印刷物に掲載される掲載情報の提供先を、該提供先に関する提供先情報に基づいて設定する情報割振サーバにおいて、
前記掲載情報の提供先を特定するための条件を指定するための第１の情報画面を、  ネットワークに接続可能な端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が掲載された第２の情報画面を前記端末に提供することを特徴とする情報割振サーバ。
【請求項６】
ネットワークに接続可能に構成され、印刷物に掲載される掲載情報の提供先を、該提供先に関する提供先情報に基づいて設定する情報割振サーバにおいて、
前記掲載情報の提供先を特定するための条件を前記優先順位とともに指定するための、かつ、前記提供先の数によって決まる前記掲載情報の提供条件を指定するための第１の情報画面をネットワークに接続可能な端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が前記第１の情報画面にて指定された提供条件を満たすように、前記条件に付与された優先順位に従って前記条件を解除することを特徴とする情報割振サーバ。
【発明の詳細な説明】
【０００１】
【発明の属する技術分野】
本発明は、クレジットカードの利用明細書等の印刷物に掲載される広告情報等の掲載情報の割り振りを行う情報割振システム及び情報割振サーバに関し、特に、提供情報の提供先に関する提供先情報に基づいて提供情報の割り振りを行う情報割振システム及び情報割振サーバに関する。
【０００２】
【従来の技術】
クレジットカードは、現金を所持することなくショッピング等ができるため、近年、その利用数は増加の一途を辿っている。
【０００３】
また、インターネットの普及に伴い、ネット上でのショッピングが普及しているが、ネット上でのショッピングにおいてもその決済をクレジットカードを用いて行う場合が多い。
【０００４】
図１１は、一般的なクレジットカードを用いての商品等の販売及びその決済方法を説明するための図である。
【０００５】
クレジットカード会社５２０は、予め申し込みを行ったカード会員５１０−１〜５１０−Ｎに対してクレジットカードを発行する。なお、このクレジットカードの申し込みは、カード会員の氏名や住所等の属性情報の他に、クレジットカードの利用に応じて口座振替を行う金融機関５４０を指定可能な申し込み用紙を用いて行われる。
【０００６】
また、クレジットカード会社５２０は、クレジットカード会社５２０にて発行されるクレジットカードを利用して商品等を販売することを可能とする加盟店５３０−１〜５３０−ｎとの間において、クレジットカードを用いての商品等の販売及びそれに伴う決済についての契約を予め締結しておく。
【０００７】
ここで、例えば、カード会員５１０−１が、加盟店５３０−１において、クレジットカード会社５２０にて発行されたクレジットカードを利用して商品等を購入する場合を考える。
【０００８】
カード会員５１０−１は、加盟店５３０−１にて希望の商品等を指定するとともに、クレジットカード会社５２０にて発行されたクレジットカードを提示する。
【０００９】
加盟店５３０−１においては、クレジットカードのカード番号を、クレジットカード内部に書き込まれた情報あるいはクレジットカードの表面に表示された情報を読み取ることによって認識し、カード会員５１０−１が指定した商品等をカード会員５１０−１に提供する。
【００１０】
その後、加盟店５３０−１は、商品等の代金及びカード番号をクレジットカード会社５２０に通知する。
【００１１】
クレジットカード会社５２０は、商品等の代金を加盟店５３０−１に支払うとともに、カード会員５１０−１に対して、カード会員５１０−１がクレジットカードを利用して購入した商品名やその利用代金等が掲載された利用明細書を送付し、その後、カード会員５１０−１が指定した金融機関５４０の口座から商品等の代金を引き落とす。
【００１２】
ここで、クレジットカード会社５２０においては、クレジットカード会社５２０からカード会員５１０−１〜５１０−Ｎに送付される利用明細書に、加盟店５３０−１〜５３０−ｎの広告情報を掲載、もしくは広告情報が掲載された印刷物を同封し、それによりクレジットカードの利用促進を図ることが行われている。
【００１３】
また、加盟店５３０−１〜５３０−ｎにおいても、クレジットカードの利用明細書に広告情報が掲載されることにより集客効果を得ることができるため、クレジットカード会社５２０においては、これを魅力として加盟店５３０−１〜５３０−ｎの数を増やすことができる。
【００１４】
ところが、クレジットカード会社５２０からカード会員５１０−１〜５１０−Ｎに送付される利用明細書、もしくは、利用明細書に同封される印刷物に掲載される広告情報は、クレジットカード会社５２０にて一律に決められているため、カード会員５１０−１〜５１０−Ｎの属性情報や嗜好に合った広告情報をカード会員５１０−１〜５１０−Ｎに提供することができない。
【００１５】
そこで、カード会員の属性情報や利用履歴情報等に基づいて、カード会員毎に必要な情報を利用明細書とともに提供するシステムが考えられている（例えば、特許文献１参照。）。
【００１６】
このシステムを用いれば、カード会員の属性情報や利用履歴情報等に基づく広告情報をカード会員に提供することができる。
【００１７】
【特許文献１】
特開２００２−６３５４０号公報。
【００１８】
【発明が解決しようとする課題】
上述したように、カード会員の属性情報や利用履歴情報等に基づいて、カード会員に提供する広告情報を設定する場合は、例えば、加盟店において、提供する広告情報に応じて提供対象の条件を指定し、クレジットカード会社において、発行する利用明細書のカード会員の中から、加盟店にて指定された条件に基づくカード会員を抽出し、抽出されたカード会員に送付される利用明細書に、加盟店の広告情報を掲載、あるいは加盟店の広告情報が掲載された印刷物を同封し、カード会員に送付することが考えられる。例えば、加盟店において広告情報の提供対象として、２０代の男性という条件が指定されると、クレジットカード会社において、発行する利用明細書のカード会員の中から、２０代の男性が抽出され、このカード会員に送付される利用明細書に、加盟店の広告情報が掲載、あるいは加盟店の広告情報が掲載された印刷物が同封され、カード会員に送付されることになる。また、加盟店において、過去の購入品として特定の商品が指定された場合に、クレジットカード会社において、発行する利用明細書のカード会員の中から、加盟店にて指定された商品を過去に購入したカード会員が抽出され、このカード会員に送付される利用明細書に、加盟店の広告情報が掲載、あるいは加盟店の広告情報が掲載された印刷物が同封され、カード会員に送付されることも考えられる。
【００１９】
しかしながら、上述したように、カード会員の属性情報や利用履歴情報等に基づいて、カード会員に提供する広告情報を設定する場合は、その設定条件やクレジットカードの利用状態によっては、提供されるカード会員の数が加盟店にて想定する数よりも極端に少なくなってしまう広告情報が存在してしまう虞れがある。例えば、加盟店において広告情報の提供対象として、２０代の男性という条件を指定したものの、クレジットカード会社において発行される利用明細書のカード会員の中に２０代の男性の数が、加盟店にて想定する数よりも極端に少ない場合、加盟店においては、広告情報による集客効果を予想する程度には得ることができなくなってしまうという問題点がある。さらに、加盟店にて設定した条件を満たすカード会員が存在しない場合もあり得、その場合、加盟店において広告情報による集客効果を全く得ることができなくなってしまうという問題点がある。
【００２０】
また、広告情報の掲載料がその広告情報の提供先の数に応じて決まる場合は、提供先の数が多くなり、広告情報の掲載料が加盟店にて予定していた額よりも多くなってしまう場合が生じ、その場合、加盟店にて予定している掲載料に合った広告情報の提供を行うことができないという問題点がある。
【００２１】
本発明は、上述したような従来の技術が有する問題点に鑑みてなされたものであって、提供先に関する提供先情報、並びに提供先の数によって決まる条件に基づいて、印刷物に掲載される掲載情報を割り振ることができる情報割振システム及び情報割振サーバを提供することを目的とする。
【００２２】
【課題を解決するための手段】
上記目的を達成するために本発明は、
印刷物に掲載される掲載情報の提供先を、該提供先に関する提供先情報に基づいて設定する情報割振システムにおいて、
ネットワークに接続可能な少なくとも１つの端末と、
ネットワークに接続可能に構成され、前記端末にて指定された条件と前記提供先情報とに基づいて、前記掲載情報を提供する提供先を設定するとともに、該提供先の数によって決まる前記掲載情報の提供条件を前記端末に提示する情報割振手段とを有することを特徴とする。
【００２３】
また、前記情報割振手段は、
前記条件を指定するための第１の情報画面を前記端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が掲載された第２の情報画面を前記端末に提供することを特徴とする。
【００２４】
また、印刷物に掲載される掲載情報の提供先を、該提供先に関する提供先情報に基づいて設定する情報割振システムにおいて、
ネットワークに接続可能な少なくとも１つの端末と、
ネットワークに接続可能に構成され、前記端末にて指定された条件と前記提供先情報とに基づいて、前記情報を提供する提供先を設定し、該提供先の数によって決まる前記掲載情報の提供条件が、前記端末にて指定された提供条件を満たすように、前記条件に付与された優先順位に従って前記条件を解除し、前記提供条件が前記端末にて指定された提供条件を満たすように設定された条件と前記提供先情報とに基づいて前記掲載情報の提供先を設定する情報割振手段とを有することを特徴とする。
【００２５】
また、前記情報割振手段は、
前記条件を前記優先順位とともに指定するための、かつ、前記提供条件を指定するための第１の情報画面を前記端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が前記第１の情報画面にて提供条件を満たすように、前記条件に付与された優先順位に従って前記条件を解除することを特徴とする。
【００２６】
また、ネットワークに接続可能に構成され、印刷物に掲載される掲載情報の提供先を、該提供先に関する提供先情報に基づいて設定する情報割振サーバにおいて、
前記掲載情報の提供先を特定するための条件を指定するための第１の情報画面を、  ネットワークに接続可能な端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が掲載された第２の情報画面を前記端末に提供することを特徴とする。
【００２７】
また、ネットワークに接続可能に構成され、印刷物に掲載される掲載情報の提供先を、該提供先に関する提供先情報に基づいて設定する情報割振サーバにおいて、
前記掲載情報の提供先を特定するための条件を前記優先順位とともに指定するための、かつ、前記提供先の数によって決まる前記掲載情報の提供条件を指定するための第１の情報画面をネットワークに接続可能な端末に提供する情報画面管理手段と、
前記第１の情報画面にて指定された条件と前記提供先情報とに基づいて、前記掲載情報を提供する提供先を設定する提供先抽出手段と、
前記提供先抽出手段にて設定された提供先のそれぞれに前記掲載情報を割り振る割振設定手段とを有し、
前記情報画面管理手段は、前記提供先抽出手段にて設定された提供先の数によって決まる前記掲載情報の提供条件が前記第１の情報画面にて指定された提供条件を満たすように、前記条件に付与された優先順位に従って前記条件を解除することを特徴とする。
【００２８】
（作用）
上記のように構成された本発明においては、ネットワークに接続可能な端末において、印刷物に掲載される掲載情報の提供先を特定するための条件が指定されると、情報割振手段において、端末にて指定された条件と提供先に関する提供先情報とに基づいて提供先が設定され、該提供先の数によって決まる掲載情報の提供条件がネットワークを介して端末に提示されるとともに、提供先のそれぞれに情報が割り振られる。
【００２９】
このように、端末において、印刷物に掲載される掲載情報の提供先を特定するための条件が指定された後に、情報割振手段において、端末にて指定された条件に応じた提供先が設定され、その数によって決まる掲載情報の提供条件が端末に提示されるので、印刷物に掲載される掲載情報の提供先を提供先に関する条件によって特定しながらも、情報の提供条件を端末側にて認識することができる。
【００３０】
また、ネットワークに接続可能な端末において、印刷物に掲載される掲載情報の提供先を特定するための条件がその優先順位とともに指定され、かつ、印刷物に掲載される掲載情報の提供先の数によって決まる掲載情報の提供条件が端末にて指定されると、情報割振手段において、端末にて指定された条件と提供先に関する提供先情報とに基づいて提供先が設定され、該提供先の数によって決まる掲載情報の提供条件が端末にて指定された提供条件を満たすように条件に付与された優先順位に従って条件が解除され、掲載情報の提供条件が端末にて指定された提供条件を満たすように設定された条件と提供先情報とに基づいて設定される提供先のそれぞれに掲載情報が割り振られる場合は、印刷物に掲載される掲載情報の提供先を提供先に関する条件及び提供先の数によって決まる提供条件によって特定することができる。
【００３１】
【発明の実施の形態】
以下に、本発明の実施の形態について図面を参照して説明する。
【００３２】
（第１の実施の形態）
図１は、本発明の情報割振システムの第１の実施の形態を示す図である。
【００３３】
本形態は図１に示すように、クレジットカード会社２０にてネットワーク１０に接続可能に設けられ、クレジットカード会社２０が発行するクレジットカードの利用明細書に掲載、あるいは同封される印刷物に掲載される掲載情報である広告情報をその提供先に応じて割り振るとともに、利用明細書や広告情報を含む印刷データを生成する情報割振手段である情報割振サーバ５０と、クレジットカード会社２０にて発行されたクレジットカードを利用して商品等の販売が可能な加盟店３０−１〜３０−ｎのそれぞれにてネットワーク１０に接続可能に設けられた端末３１−１〜３１−ｎとから構成されている。また、情報割振サーバ５０は、加盟店３０−１〜３０−ｎにて指定された広告情報を広告情報データベース２７に登録する広告情報登録部２２と、広告情報データベース２７に登録される広告情報の提供先を特定するための情報画面や広告情報を含む広告デザインを作成するための情報画面をネットワーク１０を介して端末３１−１〜３１−ｎに提供する情報画面管理手段であるサイト管理部２３と、サイト管理部２３にて提供された情報画面上における指定に基づいて、明細書データベース２８及び会員情報データベース２９を参照して、広告情報の提供対象となるカード会員を抽出する提供先抽出手段である対象会員抽出部２４と、対象会員抽出部２４にて抽出されたカード会員に対して、どの加盟店３０−１〜３０−ｎにて指定された広告情報を割り振るかを設定する割振設定手段である割振設定部２１と、割振設定部２１にて設定された割り振り条件に基づいて、対象会員抽出部２４にて抽出された会員毎に、広告情報データベース２７に登録された広告情報をレイアウトし、広告情報のみからなる印刷データを生成するデータ生成手段である広告レイアウト生成部２５と、広告レイアウト生成部２５にて生成された広告レイアウトと明細書データベース２８に登録された利用明細書データとを用いて、利用明細書を含む印刷データを生成する印刷データ生成部２６とから構成されている。
【００３４】
以下に、上記のように構成された情報割振システムにおいて、広告情報の提供先が割り振られてから利用明細書や広告情報が印刷されるまでの処理についてフローチャートを参照して説明する。
【００３５】
図２は、図１に示した情報割振システムにおいて、広告情報の提供先が割り振られてから利用明細書や広告情報の印刷データが生成されるまでの処理方法の一例を説明するためのフローチャートである。なお、本例においては、加盟店３０−１において、クレジットカード会社２０にて発行されるクレジットカードの利用明細書に掲載、あるいは、同封される印刷物に掲載される広告情報の提供先を指定する場合を例に挙げて説明する。
【００３６】
情報割振サーバ５０にて管理される広告情報提供サイトに端末３１−１を用いてアクセスすると（ステップＳ１）、情報割振サーバ５０のサイト管理部２３から第１の情報画面である広告情報提供サイトが送信され（ステップＳ２）、ネットワーク１０を介して端末３１−１にて受信されて端末３１−１の画面上に表示される（ステップＳ３）。
【００３７】
図３は、図１に示した情報割振システムにおいて情報割振サーバ５０から端末３１−１〜３１−ｎに提供される広告情報提供サイトの一例を示す図である。
【００３８】
図３に示すように、本形態における広告情報提供サイトには、クレジットカード会社２０にて発行されるクレジットカードの利用明細書に掲載、あるいは、同封される印刷物に掲載される広告情報の提供先を特定するために、性別、年齢、地域、過去の購入品、広告情報の提供時期等を指定するための条件入力領域１が設けられており、また、これらの条件を指定した後に検索を実行させるための検索ボタン２が設けられている。
【００３９】
端末３１−１の画面上に表示された広告情報提供サイトに設けられた条件入力領域１にて広告情報の提供先を特定するための条件を指定し、検索ボタン２を押下すると（ステップＳ４）、条件入力領域１に入力された条件が送信され、ネットワーク１０を介して情報割振サーバ５０にて受信される（ステップＳ５）。なお、広告情報提供サイトに掲載された情報の全てについて条件を指定する必要はないが、広告情報の提供時期については指定する必要がある。
【００４０】
すると、情報割振サーバ５０の対象会員抽出部２４において、受信された条件に基づいて、明細書データベース２８及び会員情報データベース２９が参照されて、広告情報の提供先となるカード会員が抽出される（ステップＳ６）。例えば、広告情報提供サイト上にて年齢や性別、あるいは地域についてその条件が指定された場合は、まず、明細書データベース２８が参照され、広告情報提供サイトにて指定された広告情報の提供時期に利用明細書が送付されるカード会員が抽出され、次に、会員データベース２９が参照され、抽出されたカード会員の中から、広告情報提供サイト上にて指定された条件を満たすカード会員が抽出される。ここで、広告情報提供サイトにて指定された広告情報の提供時期が翌月である場合は、翌月に利用明細書が送付される予定であるカード会員を抽出すればよいが、特定の時期（例えば、７月及び８月といった夏季等）が指定された場合であって、その時期が現時点から半年後等という場合は、指定された時期に利用明細書が送付される予定であるカード会員を特定することができない。そこで、このように指定された時期に利用明細書が送付される予定であるカード会員が特定することができない場合は、例えば、先月分のデータを利用して、概算の予定件数として件数を予想したり、あるいは、その前の年の同時期にて利用明細書が送付されたカード会員を抽出したりすることにより、特定された時期に利用明細書が送付されるであろうカード会員の年齢や性別等を予測する。
【００４１】
次に、サイト管理部２３において、対象会員抽出部２４にて抽出されたカード会員の数及びその数に応じた広告情報の掲載料が算出され、その数及び掲載料が掲載された第２の情報画面が送信される（ステップＳ７）。
【００４２】
情報割振サーバ５０のサイト管理部２３から送信された情報画面は、ネットワーク１０を介して端末３１−１にて受信されて端末３１−１の画面上に表示される（ステップＳ８）。
【００４３】
図４は、図１に示した情報割振システムにおいて情報割振サーバ５０から端末３１−１〜３１−ｎに提供される、抽出されたカード会員の数及び広告情報の掲載料が掲載された情報画面の一例を示す図である。
【００４４】
図４に示すように、サイト管理部２３から端末３１−１に送信され、端末３１−１の画面に表示される情報画面には、対象会員抽出部２４にて抽出されたカード会員の数が対象数３ａとして掲載されているとともに、この対象数３ａに応じた広告の掲載料金３ｂが掲載されている。また、この対象数３ａ及び掲載料金３ｂで広告情報を提供する際に押下するＯＫボタン４と、条件を再指定する際に押下するための再指定ボタン５とが掲載されている。
【００４５】
サイト管理部２３から端末３１−１に送信され、端末３１−１の画面に表示される情報画面に表示された対象数３ａ及び掲載料金３ｂを加盟店３０−１が確認し、この対象数及び掲載料金、すなわち、ステップＳ４にて指定した条件によって特定される提供先に送付される利用明細書、あるいは利用明細書に同封される印刷物に広告情報を掲載する場合は（ステップＳ９）、図４に示したＯＫボタン４を押下すると（ステップＳ１０）、情報割振サーバ５０の割振設定部２１において、端末３１−１にてその後指定される広告情報の提供先として、ステップＳ６にて会員情報データベース２９から抽出された会員が設定される（ステップＳ１１）。
【００４６】
その後、情報割振サーバ５０のサイト管理部２３から、広告情報のデザインを作成するためのデザイン作成画面が送信される（ステップＳ１２）。
【００４７】
情報割振サーバ５０のサイト管理部２３から送信されたデザイン作成画面は、ネットワーク１０を介して端末３１−１にて受信されて端末３１−１の画面上に表示される（ステップＳ１３）。
【００４８】
一方、ステップＳ９において、サイト管理部２３から端末３１−１に送信され、端末３１−１の画面に表示される情報画面に表示された対象数３ａ及び掲載料金３ｂを確認し、ステップＳ４にて指定した条件を変更する場合は、図４に示した再指定ボタン５を押下すると（ステップＳ１４）、ステップＳ４にて条件が入力された状態の広告情報提供サイトが端末３１−１の画面上に表示され、条件の再指定が可能となる。これは、例えば、対象数３ａが、加盟店３０−１にて想定した数よりも極端に少ない場合等にこのような指定が行われることが考えられる。対象数３ａが、加盟店３０−１にて想定した数よりも極端に少なければ、加盟店３０−１においては、広告情報を提供したものの、それだけの集客効果を得ることができなくなるため、ステップＳ４にて指定する条件の幅を広くしたり、条件を指定する項目数を減らしたりすることにより、対象数３ａを増やす。例えば、ステップＳ４にて、２０代の東京都在住の男性という条件を設定した場合であって、対象数３ａを増やす場合、「２０代」、「東京都」、「男性」という条件のうち少なくとも１つの条件を削除したり、「２０代」という条件を「２０〜３０代」と指定したりすることが考えられる。また、掲載料金３ｂが加盟店３０−１にて予定している額よりも多い場合は、ステップＳ４にて指定する条件の幅を狭くしたり、条件を指定する項目数を増やしたりすることにより、対象数３ａを減らして掲載料金３ｂを減らす。
【００４９】
その後、加盟店３０−１において、端末３１−１の画面上に表示されたデザイン作成画面に、提供したい広告情報を入力し、送信すると（ステップＳ１５）、端末３１−１から送信された広告情報がネットワーク１０を介して情報割振サーバ５０にて受信され（ステップＳ１６）、サイト管理部２３において、受信された広告情報を用いて広告デザインが作成され、送信される（ステップＳ１７）。なお、サイト管理部２３から端末３１−１に送信されるデザイン作成画面においては、提供したい広告情報が入力可能となっているとともに、テンプレート等が選択可能となっており、サイト管理部２３においては、デザイン作成画面に入力された広告情報と、デザイン作成画面にて選択されたテンプレート等を用いて広告デザインが作成される。
【００５０】
情報割振サーバ５０のサイト管理部２３から送信された広告デザインは、ネットワーク１０を介して端末３１−１にて受信されて端末３１−１の画面上に表示される（ステップＳ１８）。
【００５１】
その後、加盟店３０−１において、端末３１−１の画面上に表示された広告デザインを確認し、端末３１−１の画面上に表示された広告デザインにて広告情報を提供する場合は（ステップＳ１９）、広告デザインとともに端末３１−１の画面上に表示されたＯＫボタン（不図示）を押下すると（ステップＳ２０）、情報割振サーバ５０にその旨が通知され、クレジットカード会社２０において、ステップＳ１７にて情報割振サーバ５０から送信された広告デザインの承認処理が行われる（ステップＳ２１）。なお、予め加盟店側にて、取り決めされた条件に基づいて広告デザインを作成しておき、画像データを情報割振サーバ５０にアップロードする方法等も考えられる。その場合は、ステップＳ１２〜Ｓ２０までの処理は省略されることになる。
【００５２】
クレジットカード会社２０において、ステップＳ１７にて情報割振サーバ５０から送信された広告デザインが承認された場合は、情報割振サーバ５０から端末３１−１に対して、ステップＳ１８にて端末３１−１の画面上に表示された広告デザインが承認されたことが通知されるとともに（ステップＳ２２，Ｓ２３）、広告情報登録部２２において、承認された広告デザインが広告情報として広告情報データベース２７に登録される（ステップＳ２４）。
【００５３】
一方、ステップＳ１９において、端末３１−１の画面上に表示された広告デザインを変更する場合は、広告デザインとともに端末３１−１の画面上に表示された修正ボタン（不図示）を押下すると（ステップＳ２５）、端末３１−１の画面上にデザイン作成画面が表示され、広告デザインの修正が可能となる。
【００５４】
また、ステップＳ２１において、ステップＳ１７にて情報割振サーバ５０から送信された広告デザインが承認されなかった場合は、情報割振サーバ５０から端末３１−１に対して、ステップＳ１８にて端末３１−１の画面上に表示された広告デザインが承認されないことが通知され（ステップＳ２６，Ｓ２７）、ステップＳ１５における処理に戻り、広告デザインを再度作成することになる。なお、ステップＳ２０における承認処理は、一定期間毎に行うことも考えられ、その場合、ステップＳ２２，Ｓ２６における通知は電子メール等の手段によって通知することが考えられる。
【００５５】
その後、利用明細書を発行する時期になると（ステップＳ２８）、まず、広告レイアウト生成部２５において、割振設定部２１にて設定された割り振り条件に基づいて、広告情報データベース２７から、発行される利用明細書に掲載、あるいは同封される印刷物に掲載される広告情報が抽出される（ステップＳ２９）。ここで、割振設定部２１においては、発行される利用明細書あるいは利用明細書に同封される印刷物のそれぞれについて、広告情報データベース２７に登録された広告情報のうちどの広告情報を掲載するかが設定されているため、広告レイアウト生成部２５においては、この設定条件に基づいて、広告情報データベース２７から広告情報が抽出されることになる。
【００５６】
次に、広告レイアウト生成部２９において、広告情報データベース２７から抽出された広告情報のレイアウトが、利用明細書毎に生成され、広告情報のみからなる印刷データが生成される（ステップＳ３０）。なお、利用明細書に掲載、あるいは、同封される印刷物に掲載される広告情報は、互いに同一の大きさを有するものである。ところが、利用明細書によっては、その大きさで広告情報を掲載した場合に、広告情報の数が少ないために、余白が生じてしまう場合があるが、その場合は、例えば、クレジットカード会社２０の広告情報等を掲載することが考えられる。
【００５７】
次に、印刷データ生成部２６において、明細書データベース２８に登録された利用明細データと、広告レイアウト生成部２５にて生成された広告レイアウトとを用いて、利用明細書の印刷データ、あるいは、利用明細書及びそれに同封される印刷物の印刷データが生成される（ステップＳ３１）。
【００５８】
その後、印刷データ生成部２６にて生成された印刷データを用いて利用明細書、あるいは、利用明細書及びそれに同封される印刷物が印刷されることになる。
【００５９】
図５は、図１に示した情報割振システムにて生成された印刷データを用いて印刷された利用明細書の一例を示す図であり、（ａ）は利用明細書表面の記載内容を示す図、（ｂ）は利用明細書裏面の記載内容を示す図である。
【００６０】
図５（ａ）に示すように本形態における利用明細書の表面には、カード会員の氏名や住所等が記載された領域６ａと、クレジットカードの番号やカード会員が口座振替を指定した口座についての情報が記載された領域６ｂと、今回の口座振替が行われる日やその金額等が記載された領域６ｃと、クレジットカードの利用明細が記載された領域６ｄと、クレジットカードの利用限度額等が記載された領域６ｅと、クレジットカードの利用額に応じたポイント数が記載された領域６ｆとが設けられている。
【００６１】
なお、領域６ｂに記載されるポイント情報は、クレジットカード会社２０が運営するポイント付加サービス毎にクレジットカードの利用額に応じて加算されていくポイントに関する情報であり、前月までのポイント数や当月に加算されるポイント数や当月までの合計のポイント数が記載される。このポイント数に応じて、カード会員はクレジットカード会社２０から所定の特典を得ることができる。
【００６２】
また、図５（ｂ）に示すように本形態における利用明細書の裏面には、広告レイアウト生成部２５にて生成されたレイアウトに従って、広告情報７ａ〜７ｆが掲載されている。
【００６３】
また、広告情報のみならず、割引チケットや商品券等を掲載することも考えられる。その場合、広告情報が掲載される領域のうち一部に割引チケットや商品券を、ミシン目等によって切り取り可能に設ければ、割引チケットや商品券に関する広告情報に対応づけて割引チケットや商品券を掲載することができる。また、割引チケットにおいては、全てのカード会員の利用明細書に同一の情報を掲載しておくとともに、カード会員を識別可能な情報をバーコード情報等によって掲載しておき、割引チケットが使用される際に、この識別情報を読み取り、その識別情報によって割引率を設定することも考えられる。
【００６４】
なお、上述した情報割振方法においては、加盟店３０−１にて広告情報の提供先を特定するための条件を指定し、その条件によって抽出されたカード会員の数やその数によって決まる条件に応じて、さらに条件を指定しなおすことが可能であったが、加盟店３０−１にて広告情報の提供先を特定するための条件を指定する際に、所望の提供先数やその数によって決まる条件を指定することも考えられる。
【００６５】
図６は、図１に示した情報割振システムにおいて、広告情報の提供先が割り振られてから利用明細書や広告情報の印刷データが生成されるまでの処理の他の例を説明するためのフローチャートである。なお、本例においては、加盟店３０−１において、クレジットカード会社２０にて発行するクレジットカードの利用明細書に掲載、あるいは、同封される印刷物に掲載される広告情報の提供先を指定する場合を例に挙げて説明する。
【００６６】
情報割振サーバ５０にて管理される広告情報提供サイトに端末３１−１を用いてアクセスすると（ステップＳ１０１）、情報割振サーバ５０のサイト管理部２３から第１の情報画面である広告情報提供サイトが送信され（ステップＳ１０２）、ネットワーク１０を介して端末３１−１にて受信されて端末３１−１の画面上に表示される（ステップＳ１０３）。
【００６７】
図７は、図１に示した情報割振システムにおいて情報割振サーバ５０から端末３１−１〜３１−ｎに提供される広告情報提供サイトの他の例を示す図である。
【００６８】
図７に示すように、本形態における広告情報提供サイトには、クレジットカード会社２０にて発行されるクレジットカードの利用明細書に掲載、あるいは、同封される印刷物に掲載される広告情報の提供先を指定するために、性別、年齢、地域、過去の購入品、広告情報の提供時期等を特定するための条件入力領域１と、広告情報の提供先の数の範囲を指定するための対象数入力領域８ａと、広告情報の掲載料金の範囲を指定するための掲載料金入力領域８ｂと、性別、年齢、地域、過去の購入品の条件についてその優先順位を指定するための優先順位指定領域９とが設けられており、また、これらの条件を指定した後に検索を実行させるための検索ボタン２が設けられている。なお、対象数入力領域８ａにおける提供先の数の範囲の指定方法としては、何件以上、何件以下、あるいは何件以上かつ何件以下というような範囲を必要に応じて指定する。また、掲載料金入力領域８ｂにおける掲載料金の範囲の指定方法としては、いくら以下、あるいはいくら以上かついくら以下というような範囲を指定する。
【００６９】
端末３１−１の画面上に表示された広告情報提供サイトに設けられた条件入力領域１にて広告情報の提供先を特定するための条件を指定するとともに、これらの優先順位を優先順位指定領域９にて指定し、また、広告情報の提供先の数の範囲を対象数入力領域８ａにて指定するか、広告情報の掲載料金を掲載料金入力領域８ｂにて指定するかし、検索ボタン２を押下すると（ステップＳ１０４）、条件入力領域１に入力された条件と、対象数入力領域８ａに入力された対象数あるいは掲載料金入力領域８ｂに入力された掲載料金と、優先順位指定領域９にて指定された優先順位が送信され、ネットワーク１０を介して情報割振サーバ５０にて受信される（ステップＳ１０５）。なお、条件入力領域１に対する入力については、広告情報提供サイトに掲載された情報の全てについて条件を指定する必要はないが、広告情報の提供時期については指定する必要がある。
【００７０】
すると、情報割振サーバ５０の対象会員抽出部２４において、条件入力領域１にて指定された条件に基づいて、明細書データベース２８及び会員情報データベース２９が参照されて、広告情報の提供先となるカード会員が抽出される（ステップＳ１０６）。例えば、広告情報提供サイトの条件入力領域１にて年齢や性別、あるいは地域についてその条件が指定された場合は、まず、明細書データベース２８が参照され、広告情報提供サイトにて指定された広告情報の提供時期に利用明細書が送付されるカード会員が抽出され、次に、会員データベース２９が参照され、抽出されたカード会員の中から、広告情報提供サイトの条件入力領域１にて指定された条件を満たすカード会員が抽出される。ここで、広告情報提供サイトにて指定された広告情報の提供時期が翌月である場合は、翌月に利用明細書が送付される予定であるカード会員を抽出すればよいが、特定の時期（例えば、７月及び８月といった夏季等）が指定された場合であって、その時期が現時点から半年後等という場合は、指定された時期に利用明細書が送付される予定であるカード会員を特定することができない。そこで、このように指定された時期に利用明細書が送付される予定であるカード会員が特定することができない場合は、例えば、先月分のデータを利用して件数を予測したり、その前の年の同時期にて利用明細書が送付されたカード会員を抽出したりすることにより、特定された時期に利用明細書が送付されるであろうカード会員の年齢や性別等を予測する。
【００７１】
次に、サイト管理部２３において、対象会員抽出部２４にて抽出されたカード会員の数及びその数に応じた広告情報の掲載料が算出され（ステップＳ１０７）、広告情報提供サイトの対象数入力領域８ａにて対象数の範囲が指定されている場合は、算出された数が、広告情報提供サイトの対象数入力領域８ａにて指定された数の範囲内であるかどうかが判断される（ステップＳ１０８）。また、広告情報提供サイトの掲載料金入力領域８ｂにて広告情報の掲載料の範囲が指定されている場合は、ステップＳ１０７にて算出された広告情報の掲載料が、掲載料金入力領域８ｂにて指定された掲載料の範囲内であるかどうかが判断される。
【００７２】
ステップＳ１０７にて算出された数が、広告情報提供サイトの対象数入力領域８ａにて指定された範囲内である場合や、ステップＳ１０７にて算出された掲載料金が広告情報提供サイトの掲載料金入力領域８ｂにて指定された掲載料金の範囲内である場合は、その数あるいは掲載料金にてカード会員が抽出された際の条件及びその数あるいは掲載料金が掲載された情報画面が送信される（ステップＳ１０９）。
【００７３】
また、ステップＳ１０７にて算出された数あるいは掲載料金が、広告情報提供サイトの対象数入力領域８ａあるいは掲載料金入力領域８ｂにて指定された範囲内ではない場合は、まず、ステップＳ１０７にて算出された数あるいは掲載料金が、広告情報提供サイトの対象数入力領域８ａあるいは掲載料金入力領域８ｂにて指定された範囲内となるために、会員情報データベース２９から抽出される会員の数を増やすべきかどうかが判断され（ステップＳ１１０）、会員情報データベース２９から抽出される会員の数を増やすべきと判断された場合は、広告情報提供サイトの優先順位指定領域９にて指定された優先順位に従って、広告情報の提供先に関する条件が変更され（ステップＳ１１１）、ステップＳ１０６における処理に戻り、再度、変更された条件に基づいて、明細書データベース２８及び会員情報データベース２９が参照されて、広告情報の提供対象となるカード会員が抽出される。具体的には、ステップＳ１０７にて算出された数や掲載料金が、広告情報提供サイトの対象数入力領域８ａあるいは掲載料金入力領域８ｂにて指定された範囲よりも少ない場合は、まず、広告情報提供サイトの優先順位指定領域９にて指定された優先順位が最も低い条件が削除され、その条件にてカード会員が抽出される。その後、その抽出されたカード会員の数が、広告情報提供サイトの対象数入力領域８ａにて指定された範囲よりも少ない場合や広告情報の掲載料金が掲載料金入力領域８ｂにて指定された範囲よりも少ない場合は、さらに、広告情報提供サイトの優先順位指定領域９にて指定された優先順位が次に低い条件が削除され、同様の処理が行われる。また、会員情報データベース２９から抽出される会員の数を減らすべきと判断された場合は、広告情報提供サイトが再度端末３１−１に送信され、条件を再設定する旨が通知される。
【００７４】
情報割振サーバ５０のサイト管理部２３から送信された情報画面は、ネットワーク１０を介して端末３１−１にて受信されて端末３１−１の画面上に表示される（ステップＳ１１２）。
【００７５】
サイト管理部２３から端末３１−１に送信され、端末３１−１の画面に表示される情報画面に表示された条件、その対象数及び掲載料金を加盟店３０−１が確認し、この条件によって特定される提供先に送付される利用明細書、あるいは利用明細書に同封される印刷物に広告情報を掲載する場合は（ステップＳ１１３）、端末３１−１の画面上に表示された情報画面に含まれるＯＫボタン（不図示）を押下すると（ステップＳ１１４）、情報割振サーバ５０の割振設定部２１において、端末３１−１にてその後指定される広告情報の提供先としてステップＳ１０６にて会員情報データベース２９から抽出された会員が設定される（ステップＳ１１５）。
【００７６】
その後、情報割振サーバ５０のサイト管理部２３から、広告情報のデザインを作成するためのデザイン作成画面が送信される（ステップＳ１１６）。
【００７７】
情報割振サーバ５０のサイト管理部２３から送信されたデザイン作成画面は、ネットワーク１０を介して端末３１−１にて受信されて端末３１−１の画面上に表示される（ステップＳ１１７）。
【００７８】
一方、ステップＳ１１３において、サイト管理部２３から端末３１−１に送信され、端末３１−１の画面に表示される情報画面に表示された条件、その対象数及び掲載料金を確認し、表示された条件を変更する場合は、端末３１−１の画面上に表示された情報画面に含まれる再指定ボタン（不図示）を押下すると（ステップＳ１１８）、ステップＳ１０４にて条件、対象数あるいは掲載料金、並びに優先順位が入力された状態の広告情報提供サイトが端末３１−１の画面上に表示され、条件、対象数あるいは掲載料金、並びに優先順位の再指定が可能となる。
【００７９】
その後、加盟店３０−１において、端末３１−１の画面上に表示されたデザイン作成画面に、提供したい広告情報を入力し、送信すると（ステップＳ１１９）、端末３１−１から送信された広告情報がネットワーク１０を介して情報割振サーバ５０にて受信され（ステップＳ１２０）、サイト管理部２３において、受信された広告情報を用いて広告デザインが作成され、送信される（ステップＳ１２１）。なお、サイト管理部２３から端末３１−１に送信されるデザイン作成画面においては、提供したい広告情報が入力可能となっているとともに、テンプレート等が選択可能となっており、サイト管理部２３においては、デザイン作成画面に入力された広告情報と、デザイン作成画面にて選択されたテンプレート等を用いて広告デザインが作成される。
【００８０】
情報割振サーバ５０のサイト管理部２３から送信された広告デザインは、ネットワーク１０を介して端末３１−１にて受信されて端末３１−１の画面上に表示される（ステップＳ１２２）。
【００８１】
その後、加盟店３０−１において、端末３１−１の画面上に表示された広告デザインを確認し、端末３１−１の画面上に表示された広告デザインにて広告情報を提供する場合は（ステップＳ１２３）、広告デザインとともに端末３１−１の画面上に表示されたＯＫボタン（不図示）を押下すると（ステップＳ１２４）、情報割振サーバ５０にその旨が通知され、クレジットカード会社２０において、ステップＳ１２１にて情報割振サーバ５０から送信された広告デザインの承認処理が行われる（ステップＳ１２５）。なお、予め加盟店側にて、取り決めされた条件に基づいて広告デザインを作成しておき、画像データを情報割振サーバ５０にアップロードする方法等も考えられる。その場合は、ステップＳ１１６〜Ｓ１２４までの処理は省略されることになる。
【００８２】
クレジットカード会社２０において、ステップＳ１２１にて情報割振サーバ５０から送信された広告デザインが承認された場合は、情報割振サーバ５０から端末３１−１に対して、ステップＳ１２２にて端末３１−１の画面上に表示された広告デザインが承認されたことが通知されるとともに（ステップＳ１２６，Ｓ１２７）、広告情報登録部２２において、承認された広告デザインが広告情報として広告情報データベース２７に登録される（ステップＳ１２８）。
【００８３】
一方、ステップＳ１２３において、端末３１−１の画面上に表示された広告デザインを変更する場合は、広告デザインとともに端末３１−１の画面上に表示された修正ボタン（不図示）を押下すると（ステップＳ１２９）、端末３１−１の画面上にデザイン作成画面が表示され、広告デザインの修正が可能となる。
【００８４】
また、ステップＳ１２５において、ステップＳ１２１にて情報割振サーバ５０から送信された広告デザインが承認されなかった場合は、情報割振サーバ５０から端末３１−１に対して、ステップＳ１２２にて端末３１−１の画面上に表示された広告デザインが承認されないことが通知され（ステップＳ１３０，Ｓ１３１）、ステップＳ１１９における処理に戻り、広告デザインを再度作成することになる。なお、ステップＳ１２５における承認処理は、一定期間毎に行うことも考えられ、その場合、ステップＳ１２６，Ｓ１３０における通知は電子メール等の手段によって通知することが考えられる。
【００８５】
その後、利用明細書を発行する時期になると（ステップＳ１３２）、まず、広告レイアウト生成部２５において、割振設定部２１にて設定された割り振り条件に基づいて、広告情報データベース２７から、発行される利用明細書に掲載、あるいは同封される印刷物に掲載される広告情報が抽出される（ステップＳ１３３）。ここで、割振設定部２１においては、発行される利用明細書あるいは利用明細書に同封される印刷物のそれぞれについて、広告情報データベース２７に登録された広告情報のうちどの広告情報を掲載するかが設定されているため、広告レイアウト生成部２５においては、この設定条件に基づいて、広告情報データベース２７から広告情報が抽出されることになる。
【００８６】
次に、広告レイアウト生成部２９において、広告情報データベース２７から抽出された広告情報のレイアウトが、利用明細書毎に生成され、広告情報のみからなる印刷データが生成される（ステップＳ１３４）。
【００８７】
次に、印刷データ生成部２６において、明細書データベース２８に登録された利用明細データと、広告レイアウト生成部２５にて生成された広告レイアウトとを用いて、利用明細書の印刷データ、あるいは、利用明細書及びそれに同封される印刷物の印刷データが生成される（ステップＳ１３５）。
【００８８】
その後、印刷データ生成部２６にて生成された印刷データを用いて利用明細書、あるいは、利用明細書及びそれに同封される印刷物が印刷されることになる。
【００８９】
（第２の実施の形態）
図８は、本発明の情報割振システムの第２の実施の形態を示す図である。
【００９０】
本形態は図８に示すように、クレジットカード会社１４０にてネットワーク１１０に接続可能に設けられ、クレジットカード会社１４０が発行するクレジットカードの利用明細書を印刷するための印刷データを生成する印刷データ生成部１４１と、クレジットカード会社１４０と提携し、クレジットカード会社１４０との提携カードを運用する提携先企業１２０にてネットワーク１１０に接続可能に設けられ、クレジットカード会社１４０が発行するクレジットカードの利用明細書に掲載、あるいは利用明細書に同封される印刷物に掲載される広告情報をその提供先に応じて割り振るとともに、広告情報のみの印刷データを生成する情報割振手段である情報割振サーバ１５０と、クレジットカード会社１４０にて発行されたクレジットカードを利用して商品等の販売が可能な加盟店１３０−１〜１３０−ｎのそれぞれにてネットワーク１１０に接続可能に設けられた端末１３１−１〜１３１−ｎとから構成されている。また、情報割振サーバ１５０は、加盟店１３０−１〜１３０−ｎにて指定された広告情報を広告情報データベース１２７に登録する広告情報登録部１２２と、広告情報データベース１２７に登録される広告情報の提供先を特定するための情報画面や広告情報を含む広告デザインを作成するための情報画面をネットワーク１１０を介して端末１３１−１〜１３１−ｎに提供する情報画面管理手段であるサイト管理部１２３と、サイト管理部１２３にて提供された情報画面上における指定に基づいて、明細書データベース１２８及び会員情報データベース１２９を参照して、広告情報の提供対象となるカード会員を抽出する提供先抽出手段である対象会員抽出部１２４と、対象会員抽出部１２４にて抽出されたカード会員に対して、どの加盟店１３０−１〜１３０−ｎにて指定された広告情報を割り振るかを設定する割振設定手段である割振設定部１２１と、割振設定部１２１にて設定された割り振り条件に基づいて、対象会員抽出部１２４にて抽出された会員毎に、広告情報データベース１２７に登録された広告情報をレイアウトし、広告情報のみからなる印刷データを生成するデータ生成手段である広告レイアウト生成部１２５とから構成されている。
【００９１】
以下に、上記のように構成された情報割振システムにおいて、広告情報の提供先が割り振られてから利用明細書や広告情報が印刷されるまでの処理についてフローチャートを参照して説明する。
【００９２】
図９は、図８に示した情報割振システムにおいて、広告情報の提供先が割り振られてから利用明細書や広告情報の印刷データが生成されるまでの処理の一例を説明するためのフローチャートである。なお、本例においては、加盟店１３０−１において、クレジットカード会社１４０にて発行されるクレジットカードの利用明細書に掲載、あるいは、同封される印刷物に掲載される広告情報の提供先を指定する場合を例に挙げて説明する。
【００９３】
情報割振サーバ１５０にて管理される広告情報提供サイトに端末１３１−１を用いてアクセスすると（ステップＳ２０１）、情報割振サーバ１５０のサイト管理部１２３から、図３に示したような第１の情報画面である広告情報提供サイトが送信され（ステップＳ２０２）、ネットワーク１１０を介して端末１３１−１にて受信されて端末１３１−１の画面上に表示される（ステップＳ２０３）。
【００９４】
端末１３１−１の画面上に表示された広告情報提供サイトに設けられた条件入力領域１にて広告情報の提供先を特定するための条件を指定し、検索ボタン２を押下すると（ステップＳ２０４）、条件入力領域１に入力された条件が送信され、ネットワーク１１０を介して情報割振サーバ１５０にて受信される（ステップＳ２０５）。なお、広告情報提供サイトに掲載された情報の全てについて条件を指定する必要はないが、広告情報の提供時期については指定する必要がある。
【００９５】
すると、情報割振サーバ１５０の対象会員抽出部１２４において、受信された条件に基づいて、明細書データベース１２８及び会員情報データベース１２９が参照されて、広告情報の提供先となるカード会員が抽出される（ステップＳ２０６）。例えば、広告情報提供サイト上にて年齢や性別、あるいは地域についてその条件が指定された場合は、まず、明細書データベース１２８が参照され、広告情報提供サイトにて指定された広告情報の提供時期に利用明細書が送付されるカード会員が抽出され、次に、会員データベース１２９が参照され、抽出されたカード会員の中から、広告情報提供サイト上にて指定された条件を満たすカード会員が抽出される。ここで、広告情報提供サイトにて指定された広告情報の提供時期が翌月である場合は、翌月に利用明細書が送付される予定であるカード会員を抽出すればよいが、特定の時期（例えば、７月及び８月といった夏季等）が指定された場合であって、その時期が現時点から半年後等という場合は、指定された時期に利用明細書が送付される予定であるカード会員を特定することができない。そこで、このように指定された時期に利用明細書が送付される予定であるカード会員が特定することができない場合は、例えば、先月分のデータを利用して、概算の予定件数として件数を予想したり、その前の年の同時期にて利用明細書が送付されたカード会員を抽出したりすることにより、特定された時期に利用明細書が送付されるであろうカード会員の年齢や性別等を予測する。また、提携先企業１２０に設けられた明細書データベース１２８には、利用明細書が送付される時期やその内容が登録されているが、利用金額等の詳細な情報は登録されていない。
【００９６】
次に、サイト管理部１２３において、対象会員抽出部１２４にて抽出されたカード会員の数及びその数に応じた広告情報の掲載料が算出され、図４に示したような、その数及び掲載料が掲載された第２の情報画面が送信される（ステップＳ２０７）。
【００９７】
情報割振サーバ１５０のサイト管理部１２３から送信された情報画面は、ネットワーク１１０を介して端末１３１−１にて受信されて端末１３１−１の画面上に表示される（ステップＳ２０８）。
【００９８】
サイト管理部１２３から端末１３１−１に送信され、端末１３１−１の画面に表示される情報画面に表示された対象数３ａ及び掲載料金３ｂを加盟店１３０−１が確認し、この対象数、すなわち、ステップＳ２０４にて指定した条件によって特定される提供先に送付される利用明細書、あるいは利用明細書に同封される印刷物に広告情報を掲載する場合は（ステップＳ２０９）、図４に示したＯＫボタン４を押下すると（ステップＳ２１０）、情報割振サーバ１５０の割振設定部１２１において、端末１３１−１にてその後指定される広告情報の提供先として、ステップＳ２０６にて会員情報データベース１２９から抽出された会員が設定される（ステップＳ２１１）。
【００９９】
その後、情報割振サーバ１５０のサイト管理部１２３から、広告情報のデザインを作成するためのデザイン作成画面が送信される（ステップＳ２１２）。
【０１００】
情報割振サーバ１５０のサイト管理部１２３から送信されたデザイン作成画面は、ネットワーク１１０を介して端末１３１−１にて受信されて端末１３１−１の画面上に表示される（ステップＳ２１３）。
【０１０１】
一方、ステップＳ２０９において、サイト管理部１２３から端末１３１−１に送信され、端末１３１−１の画面に表示される情報画面に表示された対象数３ａ及び掲載料金３ｂを確認し、ステップＳ２０４にて指定した条件を変更する場合は、図４に示した再指定ボタン５を押下すると（ステップＳ２１４）、ステップＳ２０４にて条件が入力された状態の広告情報提供サイトが端末１３１−１の画面上に表示され、条件の再指定が可能となる。これは、例えば、対象数３ａが、加盟店１３０−１にて想定した数よりも極端に少ない場合等にこのような指定が行われることが考えられる。対象数３ａが、加盟店１３０−１にて想定した数よりも極端に少なければ、加盟店１３０−１においては、広告情報を提供したものの、それだけの集客効果を得ることができなくなるため、ステップＳ２０４にて指定する条件の幅を広くしたり、条件を指定する項目数を減らしたりすることにより、対象数３ａを増やす。また、掲載料金３ｂが加盟店１３０−１にて予定している額よりも多い場合は、ステップＳ２０４にて指定する条件の幅を狭くしたり、条件を指定する項目数を増やしたりすることにより、対象数３ａを減らして掲載料金３ｂを減らす。
【０１０２】
その後、加盟店１３０−１において、端末１３１−１の画面上に表示されたデザイン作成画面に、提供したい広告情報を入力し、送信すると（ステップＳ２１５）、端末１３１−１から送信された広告情報がネットワーク１１０を介して情報割振サーバ１５０にて受信され（ステップＳ２１６）、サイト管理部１２３において、受信された広告情報を用いて広告デザインが作成され、送信される（ステップＳ２１７）。なお、サイト管理部２３から端末３１−１に送信されるデザイン作成画面においては、提供したい広告情報が入力可能となっているとともに、テンプレート等が選択可能となっており、サイト管理部１２３においては、デザイン作成画面に入力された広告情報と、デザイン作成画面にて選択されたテンプレート等を用いて広告デザインが作成される。
【０１０３】
情報割振サーバ１５０のサイト管理部１２３から送信された広告デザインは、ネットワーク１１０を介して端末１３１−１にて受信されて端末１３１−１の画面上に表示される（ステップＳ２１８）。
【０１０４】
その後、加盟店１３０−１において、端末１３１−１の画面上に表示された広告デザインを確認し、端末１３１−１の画面上に表示された広告デザインにて広告情報を提供する場合は（ステップＳ２１９）、広告デザインとともに端末１３１−１の画面上に表示されたＯＫボタン（不図示）を押下すると（ステップＳ２２０）、情報割振サーバ１５０にその旨が通知され、情報割振サーバ１５０から、ステップＳ２１７にて情報割振サーバ１５０から送信された広告デザインがクレジットカード会社１４０に送信される（ステップＳ２２１）。なお、予め加盟店側にて、取り決めされた条件に基づいて広告デザインを作成しておき、画像データを情報割振サーバ１５０にアップロードする方法等も考えられる。その場合は、ステップＳ２１２〜Ｓ２２０までの処理は省略されることになる。
【０１０５】
情報割振サーバ１５０から送信された広告デザインがクレジットカード会社１４０にて受信された後（ステップＳ２２２）、クレジットカード会社１４０において、受信した広告デザインの承認処理が行われる（ステップＳ２２３）。
【０１０６】
クレジットカード会社１４０において、情報割振サーバ１５０から送信されてきた広告デザインが承認された場合は、クレジットカード会社１４０から情報割振サーバ１５０及び端末１３１−１に対して、ステップＳ２１８にて端末１３１−１の画面上に表示された広告デザインが承認されたことが通知され（ステップＳ２２４，Ｓ２２５，Ｓ２２６）、情報割振サーバ１５０の広告情報登録部１２２において、承認された広告デザインが広告情報として広告情報データベース１２７に登録される（ステップＳ２２７）。
【０１０７】
一方、ステップＳ２１９において、端末１３１−１の画面上に表示された広告デザインを変更する場合は、広告デザインとともに端末１３１−１の画面上に表示された修正ボタン（不図示）を押下すると（ステップＳ２２８）、端末１３１−１の画面上にデザイン作成画面が表示され、広告デザインの修正が可能となる。
【０１０８】
また、ステップＳ２２３において、情報割振サーバ１５０から送信されてきた広告デザインが承認されなかった場合は、クレジットカード会社１４０から情報割振サーバ１５０及び端末１３１−１に対して、ステップＳ２１８にて端末１３１−１の画面上に表示された広告デザインが承認されないことが通知され（ステップＳ２２９，Ｓ２３０，Ｓ２３１）、ステップＳ２１５における処理に戻り、広告デザインを再度作成することになる。なお、ステップＳ２２３における承認処理は、一定期間毎に行うことも考えられ、その場合、ステップＳ２２４，Ｓ２２９における通知は電子メール等の手段によって通知することが考えられる。
【０１０９】
その後、利用明細書を発行する時期になると（ステップＳ２３２）、まず、広告レイアウト生成部１２５において、広告情報データベース１２７から、発行される利用明細書に掲載、あるいは同封される印刷物に掲載される広告情報が抽出される（ステップＳ２３３）。ここで、割振設定部１２１においては、発行される利用明細書あるいは利用明細書に同封される印刷物のそれぞれについて、広告情報データベース１２７に登録された広告情報のうちどの広告情報を掲載するかが設定されているため、広告レイアウト生成部１２５においては、この設定条件に基づいて、広告情報データベース１２７から広告情報が抽出されることになる。また、広告情報データベース１２７から広告情報が抽出されるタイミングは、後のクレジットカード会社１４０における利用明細書の印刷工程を考慮して、利用明細書が発行される時期よりも多少早めである必要がある。
【０１１０】
次に、広告レイアウト生成部１２９において、広告情報データベース１２７から抽出された広告情報のレイアウトが、利用明細書毎に生成され、広告情報のみからなる印刷データが生成され、クレジットカード会社１４０に送信される（ステップＳ２３４）。なお、利用明細書に掲載、あるいは、同封される印刷物に掲載される広告情報は、互いに同一の大きさを有するものである。ところが、利用明細書によっては、その大きさで広告情報を掲載した場合に、広告情報の数が少ないために、余白が生じてしまう場合があるが、その場合は、例えば、クレジットカード会社１４０の広告情報等を掲載することが考えられる。
【０１１１】
広告レイアウト生成部１２９から送信された広告レイアウトがネットワーク１１０を介してクレジットカード会社１４０にて受信されると（ステップＳ２３５）、クレジットカード会社１４０の印刷データ生成部１４１において、明細書データベース１４２に登録された利用明細データと、明細書データベース１４３に登録されたカード会員に関する情報と、受信された広告レイアウトとを用いて、利用明細書の印刷データ、あるいは、利用明細書及びそれに同封される印刷物の印刷データが生成される（ステップＳ２３６）。
【０１１２】
その後、印刷データ生成部１４１にて生成された印刷データを用いて利用明細書、あるいは、利用明細書及びそれに同封される印刷物が印刷されることになる。
【０１１３】
なお、上述した情報割振方法においては、加盟店１３０−１にて広告情報の提供先を特定するための条件を指定し、その条件によって抽出されたカード会員の数やその数によって決まる条件に応じて、さらに条件を指定しなおすことが可能であったが、加盟店１３０−１にて広告情報の提供先を指定するための条件を指定する際に、所望の提供先数やその数によって決まる条件を指定することも考えられる。
【０１１４】
図１０は、図８に示した情報割振システムにおいて、広告情報の提供先が割り振られてから利用明細書や広告情報の印刷データが生成されるまでの処理の他の例を説明するためのフローチャートである。なお、本例においては、加盟店１３０−１において、クレジットカード会社１４０にて発行されるクレジットカードの利用明細書に掲載、あるいは、同封される印刷物に掲載される広告情報の提供先を指定する場合を例に挙げて説明する。
【０１１５】
情報割振サーバ１５０にて管理される広告情報提供サイトに端末１３１−１を用いてアクセスすると（ステップＳ３０１）、情報割振サーバ１５０のサイト管理部１２３から図７に示したような広告情報提供サイトが送信され（ステップＳ３０２）、ネットワーク１１０を介して端末１３１−１にて受信されて端末１３１−１の画面上に表示される（ステップＳ３０３）。
【０１１６】
端末１３１−１の画面上に表示された広告情報提供サイトに設けられた条件入力領域１にて広告情報の提供先を特定するための条件を指定するとともに、これらの優先順位を優先順位指定領域９にて指定し、また、広告情報の提供先の数を対象数入力領域８ａにて指定するか、広告情報の掲載料金を掲載料金入力領域８ｂにて指定するかし、検索ボタン２を押下すると（ステップＳ３０４）、条件入力領域１に入力された条件と、対象数入力領域８ａに入力された対象数あるいは掲載料金入力領域８ｂに入力された掲載料と、優先順位指定領域９にて指定された優先順位が送信され、ネットワーク１１０を介して情報割振サーバ１５０にて受信される（ステップＳ３０５）。なお、条件入力領域１に対する入力については、広告情報提供サイトに掲載された情報の全てについて条件を指定する必要はないが、広告情報の提供時期については指定する必要がある。
【０１１７】
すると、情報割振サーバ１５０の対象会員抽出部１２４において、条件入力領域１にて指定された条件に基づいて、明細書データベース１２８及び会員情報データベース１２９が参照されて、広告情報の提供先となるカード会員が抽出される（ステップＳ３０６）。例えば、広告情報提供サイトの条件入力領域１にて年齢や性別、あるいは地域についてその条件が指定された場合は、まず、明細書データベース１２８が参照され、広告情報提供サイトにて指定された広告情報の提供時期に利用明細書が送付されるカード会員が抽出され、次に、会員データベース１２９が参照され、抽出されたカード会員の中から、広告情報提供サイトの条件入力領域１にて指定された条件を満たすカード会員が抽出される。ここで、広告情報提供サイトにて指定された広告情報の提供時期が翌月である場合は、翌月に利用明細書が送付される予定であるカード会員を抽出すればよいが、特定の時期（例えば、７月及び８月といった夏季等）が指定された場合であって、その時期が現時点から半年後等という場合は、指定された時期に利用明細書が送付される予定であるカード会員を特定することができない。そこで、このように指定された時期に利用明細書が送付される予定であるカード会員が特定することができない場合は、例えば、先月分のデータを利用して件数を予測したり、その前の年の同時期にて利用明細書が送付されたカード会員を抽出したりすることにより、特定された時期に利用明細書が送付されるであろうカード会員の年齢や性別等を予測する。また、提携先企業１２０に設けられた明細書データベース１２８には、利用明細書が送付される時期やその内容が登録されているが、利用金額等の詳細な情報は登録されていない。
【０１１８】
次に、サイト管理部１２３において、対象会員抽出部１２４にて抽出されたカード会員の数及びその数に応じた広告情報の掲載料が算出され（ステップＳ３０７）、広告情報提供サイトの対象数入力領域８ａにて対象数の範囲が指定されている場合は、算出された数が、広告情報提供サイトの対象数入力領域８ａにて指定された数の範囲内であるかどうかが判断される（ステップＳ３０８）。また、広告情報提供サイトの掲載料金入力領域８ｂにて広告情報の掲載料の範囲が指定されている場合は、ステップＳ３０７にて算出された広告情報の掲載料が、掲載料金入力領域８ｂにて指定された掲載料の範囲内であるかどうかが判断される。
【０１１９】
ステップＳ３０７にて算出された数が、広告情報提供サイトの対象数入力領域８ａにて指定された数の範囲内である場合や、ステップＳ３０７にて算出された掲載料金が広告情報提供サイトの掲載料金入力領域８ｂにて指定された掲載料金の範囲内である場合は、その数あるいは掲載料金にてカード会員が抽出された際の条件及びその数が掲載された情報画面が送信される（ステップＳ３０９）。
【０１２０】
また、ステップＳ３０７にて算出された数あるいは掲載料金が、広告情報提供サイトの対象数入力領域８ａあるいは掲載料金入力領域８ｂにて指定された範囲内ではない場合は、まず、ステップＳ３０７にて算出された数あるいは掲載料金が、広告情報提供サイトの対象数入力領域８ａあるいは掲載料金入力領域８ｂにて指定された範囲内となるために、会員情報データベース１２９から抽出される会員の数を増やすべきかどうかが判断され（ステップＳ３１０）、会員情報データベース１２９から抽出される会員の数を増やすと判断された場合は、広告情報提供サイトの優先順位指定領域９にて指定された優先順位に従って、広告情報の提供先に関する条件が変更され（ステップＳ３１１）、ステップＳ３０６における処理に戻り、再度、変更された条件に基づいて、明細書データベース１２８及び会員情報データベース１２９が参照されて、広告情報の提供対象となるカード会員が抽出される。具体的には、ステップＳ３０７にて算出された数や掲載料金が、広告情報提供サイトの対象数入力領域８ａあるいは掲載料金入力領域８ｂにて指定された範囲よりも少ない場合は、まず、広告情報提供サイトの優先順位指定領域９にて指定された優先順位が最も低い条件が削除され、その条件にてカード会員が抽出される。その後、その抽出されたカード会員の数が、広告情報提供サイトの対象数入力領域８ａにて指定された範囲よりも少ない場合や、広告情報の掲載料金が掲載料金入力領域８ｂにて指定された範囲よりも少ない場合は、さらに、広告情報提供サイトの優先順位指定領域９にて指定された優先順位が次に低い条件が削除され、同様の処理が行われる。また、会員情報データベース１２９から抽出される会員の数を減らすべきと判断された場合は、広告情報提供サイトが再度端末１３１−１に送信され、条件を再設定する旨が通知される。
【０１２１】
情報割振サーバ１５０のサイト管理部１２３から送信された情報画面は、ネットワーク１１０を介して端末１３１−１にて受信されて端末１３１−１の画面上に表示される（ステップＳ３１２）。
【０１２２】
サイト管理部１２３から端末１３１−１に送信され、端末１３１−１の画面に表示される情報画面に表示された条件、その対象数及び掲載料金を加盟店１３０−１が確認し、この条件によって特定される提供先に送付される利用明細書、あるいは利用明細書に同封される印刷物に広告情報を掲載する場合は（ステップＳ３１３）、端末１３１−１の画面上に表示された情報画面に含まれるＯＫボタン（不図示）を押下すると（ステップＳ３１４）、情報割振サーバ１５０の割振設定部１２１において、端末１３１−１にてその後指定される広告情報の提供先としてステップＳ３０６にて会員情報データベース１２９から抽出された会員が設定される（ステップＳ３１５）。
【０１２３】
その後、情報割振サーバ１５０のサイト管理部１２３から、広告情報のデザインを作成するためのデザイン作成画面が送信される（ステップＳ３１６）。
【０１２４】
情報割振サーバ１５０のサイト管理部１２３から送信されたデザイン作成画面は、ネットワーク１１０を介して端末１３１−１にて受信されて端末１３１−１の画面上に表示される（ステップＳ３１７）。
【０１２５】
一方、ステップＳ３１３において、サイト管理部１２３から端末１３１−１に送信され、端末１３１−１の画面に表示される情報画面に表示された条件、その対象数及び掲載料金を確認し、表示された条件を変更する場合は、端末１３１−１の画面上に表示された情報画面に含まれる再指定ボタン（不図示）を押下すると（ステップＳ３１８）、ステップＳ３０４にて条件、対象数あるいは掲載料金、並びに優先順位が入力された状態の広告情報提供サイトが端末１３１−１の画面上に表示され、条件、対象数及び優先順位の再指定が可能となる。
【０１２６】
その後、加盟店１３０−１において、端末１３１−１の画面上に表示されたデザイン作成画面に、提供したい広告情報を入力し、送信すると（ステップＳ３１９）、端末１３１−１から送信された広告情報がネットワーク１１０を介して情報割振サーバ１５０にて受信され（ステップＳ３２０）、サイト管理部１２３において、受信された広告情報を用いて広告デザインが作成され、送信される（ステップＳ３２１）。なお、サイト管理部１２３から端末１３１−１に送信されるデザイン作成画面においては、提供したい広告情報が入力可能となっているとともに、テンプレート等が選択可能となっており、サイト管理部１２３においては、デザイン作成画面に入力された広告情報と、デザイン作成画面にて選択されたテンプレート等を用いて広告デザインが作成される。
【０１２７】
情報割振サーバ１５０のサイト管理部１２３から送信された広告デザインは、ネットワーク１１０を介して端末１３１−１にて受信されて端末１３１−１の画面上に表示される（ステップＳ３２２）。
【０１２８】
その後、加盟店１３０−１において、端末１３１−１の画面上に表示された広告デザインを確認し、端末１３１−１の画面上に表示された広告デザインにて広告情報を提供する場合は（ステップＳ３２３）、広告デザインとともに端末１３１−１の画面上に表示されたＯＫボタン（不図示）を押下すると（ステップＳ３２４）、情報割振サーバ１５０にその旨が通知され、情報割振サーバ１５０から、ステップＳ３１９にて情報割振サーバ１５０から送信された広告デザインがクレジットカード会社１４０に送信される（ステップＳ３２５）。なお、予め加盟店側にて、取り決めされた条件に基づいて広告デザインを作成しておき、画像データを情報割振サーバ１５０にアップロードする方法等も考えられる。その場合は、ステップＳ３１６〜Ｓ３２４までの処理は省略されることになる。
【０１２９】
情報割振サーバ１５０から送信された広告デザインがクレジットカード会社１４０にて受信された後（ステップＳ３２６）、クレジットカード会社１４０において、受信した広告デザインの承認処理が行われる（ステップＳ３２７）。
【０１３０】
クレジットカード会社１４０において、情報割振サーバ１５０から送信されてきた広告デザインが承認された場合は、クレジットカード会社１４０から情報割振サーバ１５０及び端末１３１−１に対して、ステップＳ３２２にて端末１３１−１の画面上に表示された広告デザインが承認されたことが通知され（ステップＳ３２８，Ｓ３２９，Ｓ３３０）、情報割振サーバ１５０の広告情報登録部１２２において、承認された広告デザインが広告情報として広告情報データベース１２７に登録される（ステップＳ３３１）。
【０１３１】
一方、ステップＳ３２３において、端末１３１−１の画面上に表示された広告デザインを変更する場合は、広告デザインとともに端末１３１−１の画面上に表示された修正ボタン（不図示）を押下すると（ステップＳ３３２）、端末１３１−１の画面上にデザイン作成画面が表示され、広告デザインの修正が可能となる。
【０１３２】
また、ステップＳ３２７において、情報割振サーバ１５０から送信されてきた広告デザインが承認されなかった場合は、クレジットカード会社１４０から情報割振サーバ１５０及び端末１３１−１に対して、ステップＳ３２２にて端末１３１−１の画面上に表示された広告デザインが承認されないことが通知され（ステップＳ３３３，Ｓ３３４，Ｓ３３５）、ステップＳ３１９における処理に戻り、広告デザインを再度作成することになる。なお、ステップＳ３２７における承認処理は、一定期間毎に行うことも考えられ、その場合、ステップＳ３２８，Ｓ３３３における通知は電子メール等の手段によって通知することが考えられる。
【０１３３】
その後、利用明細書を発行する時期になると（ステップＳ３３６）、まず、広告レイアウト生成部１２５において、割振設定部１２１にて設定された割り振り条件に基づいて、広告情報データベース１２７から、発行される利用明細書に掲載、あるいは同封される印刷物に掲載される広告情報が抽出される（ステップＳ３３７）。ここで、割振設定部１２１においては、発行される利用明細書あるいは利用明細書に同封される印刷物のそれぞれについて、広告情報データベース１２７に登録された広告情報のうちどの広告情報を掲載するかが設定されているため、広告レイアウト生成部１２５においては、この設定条件に基づいて、広告情報データベース１２７から広告情報が抽出されることになる。また、広告情報データベース１２７から広告情報が抽出されるタイミングは、後のクレジットカード会社１４０における利用明細書の印刷工程を考慮して、利用明細書が発行される時期よりも多少早めである必要がある。
【０１３４】
次に、広告レイアウト生成部１２９において、広告情報データベース１２７から抽出された広告情報のレイアウトが、利用明細書毎に生成され、広告情報のみからなる印刷データが生成され、クレジットカード会社１４０に送信される（ステップＳ３３８）。
【０１３５】
広告レイアウト生成部１２９から送信された広告レイアウトがネットワーク１１０を介してクレジットカード会社１４０にて受信されると（ステップＳ３３９）、クレジットカード会社１４０の印刷データ生成部１４１において、明細書データベース１４２に登録された利用明細データと、明細書データベース１４３に登録されたカード会員に関する情報と、受信された広告レイアウトとを用いて、利用明細書の印刷データ、あるいは、利用明細書及びそれに同封される印刷物の印刷データが生成される（ステップＳ３４０）。
【０１３６】
その後、印刷データ生成部１４１にて生成された印刷データを用いて利用明細書、あるいは、利用明細書及びそれに同封される印刷物が印刷されることになる。
【０１３７】
なお、上述した２つの実施の形態における広告情報の掲載料については、図５（ｂ）に示したような利用明細書紙面においてどの領域に広告情報を掲載するかによっても異なる掲載料を設定することも考えられる。その場合、例えば、端末の画面上に表示された広告情報提供サイトにて広告情報の提供先を特定するための条件を指定する際に、広告情報を掲載する領域を指定すること等が考えられる。
【０１３８】
また、広告情報の掲載の申し込み時期に応じて広告情報の掲載料を設定することも考えられる。その場合、広告情報が掲載される時期に対して早ければ早い程掲載料を安価にすることが考えられる。また、その反面、広告情報の提供先を選定する際に利用明細書の送付先が特定できない時期であると過去の利用明細書の送付状況からその時期の利用明細書の送付先を予測しなければならないため、その分、広告情報の掲載料を高く設定することも考えられる。
【０１３９】
また、上述した２つの実施の形態においては、情報割振サーバ５０，１５０が、第１の実施の形態においては、クレジットカード会社２０に設けられ、また、第２の実施の形態においては、提携先企業１２０に設けられているが、加盟店が作成した広告デザインの承認をクレジットカード会社で行う構成であれば、他の企業等に設けることも可能である。
【０１４０】
【発明の効果】
以上説明したように本発明においては、印刷物に掲載される掲載情報の提供先を、該提供先に関する提供先情報に基づいて設定する情報割振システムにおいて、ネットワークに接続可能な少なくとも１つの端末と、ネットワークに接続可能に構成され、端末にて指定された条件と提供先情報とに基づいて、掲載情報を提供する提供先を設定するとともに、該提供先の数によって決まる掲載情報の提供条件を端末に提示する情報割振手段とを有する構成としたため、印刷物に掲載される掲載情報の提供先を提供先に関する条件によって特定しながらも、掲載情報の提供先の数によって決まる掲載情報の提供条件を端末側にて認識することができる。
【０１４１】
また、印刷物に掲載される掲載情報の提供先を、該提供先に関する提供先情報に基づいて設定する情報割振システムにおいて、ネットワークに接続可能な少なくとも１つの端末と、ネットワークに接続可能に構成され、端末にて指定された条件と提供先情報とに基づいて、情報を提供する提供先を設定し、該提供先の数によって決まる掲載情報の提供条件が、端末にて指定された提供条件を満たすように、条件に付与された優先順位に従って条件を解除し、提供条件が端末にて指定された提供条件を満たすように設定された条件と提供先情報とに基づいて掲載情報の提供先を設定する情報割振手段とを有する構成としたものにおいては、印刷物に掲載される掲載情報の提供先を提供先に関する条件及びその数によって決まる提供条件によって特定することができる。
【図面の簡単な説明】
【図１】本発明の情報割振システムの第１の実施の形態を示す図である。
【図２】図１に示した情報割振システムにおいて、広告情報の提供先が割り振られてから利用明細書や広告情報の印刷データが生成されるまでの処理方法の一例を説明するためのフローチャートである。
【図３】図１に示した情報割振システムにおいて情報割振サーバから端末に提供される広告情報提供サイトの一例を示す図である。
【図４】図１に示した情報割振システムにおいて情報割振サーバから端末に提供される、抽出されたカード会員の数及び広告情報の掲載料が掲載された情報画面の一例を示す図である。
【図５】図１に示した情報割振システムにて生成された印刷データを用いて印刷された利用明細書の一例を示す図であり、（ａ）は利用明細書表面の記載内容を示す図、（ｂ）は利用明細書裏面の記載内容を示す図である。
【図６】図１に示した情報割振システムにおいて、広告情報の提供先が割り振られてから利用明細書や広告情報の印刷データが生成されるまでの処理の他の例を説明するためのフローチャートである。
【図７】図１に示した情報割振システムにおいて情報割振サーバから端末に提供される広告情報提供サイトの他の例を示す図である。
【図８】本発明の情報割振システムの第２の実施の形態を示す図である。
【図９】図８に示した情報割振システムにおいて、広告情報の提供先が割り振られてから利用明細書や広告情報の印刷データが生成されるまでの処理の一例を説明するためのフローチャートである。
【図１０】図８に示した情報割振システムにおいて、広告情報の提供先が割り振られてから利用明細書や広告情報の印刷データが生成されるまでの処理の他の例を説明するためのフローチャートである。
【図１１】一般的なクレジットカードを用いての商品等の販売及びその決済方法を説明するための図である。
【符号の説明】
１    条件入力領域
２    検索ボタン
３ａ    対象数
３ｂ    掲載料金
４    ＯＫボタン
５    再指定ボタン
６ａ〜６ｆ    領域
７ａ〜７ｆ    広告情報
８ａ    対象数入力領域
８ｂ    掲載料金入力領域
９    優先順位指定領域
１０，１１０    ネットワーク
２０，１４０    クレジットカード会社
２１，１２１    割振設定部
２２，１２２    広告情報登録部
２３，１２３    サイト管理部
２４，１２４    対象会員抽出部
２５，１２５    広告レイアウト生成部
２６，１４１    印刷データ生成部
２７，１２７    広告情報データベース
２８，１２８，１４２    明細書データベース
２９，１２９，１４３    会員情報データベース
３０−１〜３０−ｎ，１３０−１〜１３０−ｎ    加盟店
３１−１〜３１−ｎ，１３１−１〜１３１−ｎ    端末
５０，１５０    情報割振サーバ
１２０    提携先企業
【図１】
2004152078.tif 000003
【図２】
2004152078.tif 000004
【図３】
2004152078.tif 000005
【図４】
2004152078.tif 000006
【図５】
2004152078.tif 000007
【図６】
2004152078.tif 000008
【図７】
2004152078.tif 000009
【図８】
2004152078.tif 000010
【図９】
2004152078.tif 000011
【図１０】
2004152078.tif 000012
【図１１】
2004152078.tif 000013